(57)【要約】【課題】電気こたつに足を入れたときこたつの脚部に足が触れる不快感を解消するための技術の提供。【解決手段】電気こたつに水平脚部を設けることによりこたつ布団の外側にこたつの垂直脚部を設置することが可能となり、こたつの脚部が足に触れる不快感がなく、また電気こたつの脚部がこたつ布団の外側にあるためこたつの空気層を大きくすることなく暖め効率を阻害するものではない。また、こたつ布団はこたつ脚部の下側に設置する。【選択図】図１３
2020073843.tif 000002
【特許請求の範囲】
【請求項１】
水平面を形成してＸ形状に組まれる桟材と前記桟材の水平を維持して前記桟材の端部４か所にそれぞれ脱着自在に脱着される４本の脚材（水平脚部102、垂直脚部103）と、前記桟材の端部４か所の貫通口112を貫通させて前記桟材のクロス（交差）部を覆う布団104と、前記布団を前記桟材との間に挟んで配置される天板107と、前記桟材のクロス（交差）部の下面に電気ヒータ108の取り付けられることを特徴とする電気こたつ。
【請求項２】
前記布団を、前記桟材が貫通口112を貫通時にファスナー115を開口させ貫通後にファスナー114で閉口させる開閉口を有することを特徴とする請求項１に記載の電気こたつ。
【発明の詳細な説明】
【技術分野】
【０００１】
本発明は、こたつの脚部（水平脚部及び垂直脚部）をこたつ布団の外側に設けた電気こたつに関する。          
【背景技術】
【０００２】
電気こたつの脚部をこたつ布団の外側に設けることにより、こたつの脚部が足に触れる不快感がなく、また電気こたつの脚部がこたつ布団の外側にあるためこたつの空気層を大きくすることなく暖め効率を阻害するものではない。
【先行技術文献】
【特許文献】
【０００３】
【特許文献１】公開実用新案公報  平２−８９２０１
【発明の概要】
【発明が解決しようとする課題】
【０００４】
本先行技術文献によると、広げられたこたつの脚部により空間が大きくなりこたつの暖め効果を低下させるおそれがある。本発明は、こたつ内の暖め効果を阻害することなく、こたつの脚が邪魔になることなく座り心地の低下を抑制する技術を提供することにある。
【課題を解決するための手段】
【０００５】
上記の問題を解決するために、水平面を形成しＸ形状に組まれる桟材の延長線上に水平脚部を設け、その先端より垂直に下に向かって垂直脚部を設ける。こたつの脚部は、水平脚部の分だけこたつの四隅の対角線上に外側に設置されこたつの脚部が邪魔になる問題は解決することができる。こたつの脚部が、水平脚部と垂直脚部により構成されていることを特徴とする。
【０００６】
また、こたつ布団の上部に水平脚部と垂直脚部が設置されているため、こたつ布団を脚部で押し上げることなく、適当なこたつ内の空間を形成し暖め効果の低減を防止することができることを特徴とする。
【発明の効果】
【０００７】
本発明の電気こたつの脚部がこたつ布団の外側に設置された電気こたつによれば、電気こたつの脚部をこたつ布団の外側に設けることにより、こたつの脚部が足に触れる不快感がなく快適なこたつ内の環境を形成することができる。
【０００８】
また電気こたつの脚部がこたつ布団の外側にあるためこたつの空気層を大きくすることなく暖め効率を阻害するものではない。こたつ布団は吊り下げた状態になっており自然な形を自ら構成し、こたつ内に余分な空間を形成することはない。
【図面の簡単な説明】
【０００９】
【図１】実施例１の電気こたつの枠及び脚部である。
【図２】こたつ布団の図である。円内はこたつ布団の面ファスナーを示す図である。
【図３】こたつ布団を設置した時の状況図である。
【図４】電気こたつの側面図である。
【００１０】
【図５】実施例２の電気こたつの枠及び脚部である。
【図６】こたつ布団を枠及び脚に設置した時の状況図である。
【図７】電気こたつの側面図である。円内は脚継手部のボルトとナットの             拡大図である。
【００１１】
【図８】実施例３の電気こたつの枠及び脚部である。２つの円内は矢印部分の拡大図である。
【図９】こたつ布団を枠及び脚に設置した時の状況図である。
【図１０】電気こたつの側面図である。
【００１２】
【図１１】実施例４の電気こたつの枠及び脚部である。
【図１２】こたつ布団の図である。円内は矢印部分において、ファスナーを開いたとき及び閉じたときの状態を示す図である。
【図１３】こたつ布団を設置した時の状況図である。
【図１４】電気こたつの側面図である。
【発明を実施するための形態】
【００１３】
図１実施例１の電気こたつの枠及び脚部である。水平脚部１０２の分だけ従のこたつより垂直脚部１０３が外側に設置される構造となっている。
【００１４】
図２こたつ布団の図であり、スリット１０５は切り込みを入れる箇所を表している。また切り込みを閉じるための施策として面ファスナー１０６を活用する。
【００１５】
図３こたつ布団を設置した時の状況図である。こたつ布団にスリットを利用して水平面を形成しＸ形状に組まれる桟材の上に折り込み、その後予め縫い込んである面ファスナー１０６により、Ｘ形状に組まれる桟材の上で固定する。
【００１６】
図４電気こたつの側面図であり水平脚部及び垂直脚部がこたつ布団の外側に設置されているため従来のこたつ同様こたつ内の空間を大きくすることなく、暖め効果の低減を防止することも可能である。
【００１７】
図５実施例２の電気こたつの枠及び脚部である。脚部は脚継手部、水平脚部及び垂直脚部により構成されており、水平面を形成しＸ形状に組まれる桟材に脚部をネジ（ボルト１１０、ナット１１１）で固定する構造となっている。
【００１８】
図６枠及び脚部へのこたつ布団設置の構造を示すものであり、こたつ布団１０４を裏返しにして平面に置き、続いて枠１０１を裏返しにしてＸ形状に組まれる桟材をこたつ布団の形成する正方形の対角線に合わせて置く。この場合、脚部を貫通させる為こたつ布団に設けた開口部１１２の位置も確認する。その後四隅のこたつ布団を捲り上げ、布団の開口部１１２へ上下逆さにした脚部の脚継手部を貫通させＸ形状に組まれる桟材の端部にネジ（ボルト１１０、ナット１１１）により固定する。４本の脚部を固定完了後に平面に現状の上下を逆さまに設置する。
【００１９】
図７は枠及び脚部へのこたつ布団の設置完了後の状況の側面図である。
【００２０】
図８実施例３の電気こたつの枠及び脚部である。この場合脚部（脚継手部、水平脚部及び垂直脚部）は、金属製の脚受枠に金属製の脚部を挿入し設置するスライド式の構造となっている。
【００２１】
図９枠及び脚部へのこたつ布団設置の構造を示すものであり、こたつ布団１０４を裏返しにして平面に置き、続いて枠１０１を裏返しにしてＸ形状に組まれる桟材をこたつ布団の形成する正方形の対角線に合わせて置く。この場合、脚部を貫通させる為こたつ布団に設けた開口部１１２の位置も確認する。その後四隅のこたつ布団を捲り上げ、布団の開口部１１２へ上下逆さにした脚部の脚継手部を貫通させＸ形状に組まれる桟材に固定した金属製の脚継手部受枠に金属製の脚部を挿入し脚継手部を所定の位置に固定する。４本の脚部を固定完了後に平面に現状の上下を逆さまに設置する。
【００２２】
図１０は枠及び脚部へのこたつ布団の設置完了後の状況の側面図である。
【００２３】
図１１実施例４の電気こたつの枠及び脚部である。水平脚部１０２の分だけ従来のこたつより垂直脚部１０３が外側に設置される構造となっている。
【００２４】
図１２こたつ布団の図であり、脚部を貫通させる為こたつ布団に設けた開口部１１２より対角線上に四隅方向にこたつ布団へスリットを入れ、スリットの部分にファスナーを設けた構造となっている。
【００２５】
図１３こたつ布団を設置した時の状況を示した図である。電気こたつの枠及び脚部の上からこたつ布団をファスナー（開いた状態）１１５の状態として電気こたつの四隅の枠に脚部を貫通させる為こたつ布団に設けた開口部１１２を枠の四隅にあわせて設置した後、スリット部のファスナーを（閉じた状態）１１４の状態とした時の状況図である。
【００２６】
図１４は枠及び脚部へのこたつ布団の設置完了後の状況の側面図である。
＜実施例１＞
【００２７】
図１の枠及び脚部の下面より図２のこたつ布団に設けたスリットにより水平面を形成しＸ形状に組まれる桟材の上に折り込み、面ファスナー１０６によりこたつ布団を隙間なく繋ぎ合わせる。こたつ布団はＸ形状に組まれる桟材の上で固定される。
＜実施例２＞
【００２８】
図５は、電気こたつの脚部がネジ（ボルト１１０、ナット１１１）によりＸ形状に組まれる桟材の四隅の端部の下面に着脱自在になっている構造図である。この場合、こたつ布団に脚部を貫通させる為こたつ布団に設けた開口部４か所をこたつ布団に設けるのみで枠及び脚部へのこたつ布団の設置が可能となる。
＜実施例３＞
【００２９】
図８は、図５では、脚部とＸ形状に組まれる桟材の四隅の端部の下面への着脱をネジ式とした。様々な着脱方式が考えられる中、今回着脱に関して図８で示す脚部（脚継手部、水平脚部及び垂直脚部）は、金属製の脚受枠に金属製の脚部を挿入し設置するスライド式の構造となっている。
＜実施例４＞
【００３０】
図１１は、＜実施例１＞の枠及び脚部と同じ構造である。図１２のこたつ布団の形状が、脚部を貫通させる為こたつ布団に設けた開口部１１２より対角線上に四隅方向にこたつ布団へスリットを入れ、スリットの部分にファスナーを設けた構造となっている。
【００３１】
図１３は、こたつ布団を設置した時の状況を示した図である。電気こたつの枠及び脚部の上からこたつ布団をファスナー（開いた状態）１１５の状態として電気こたつの四隅の枠に脚部を貫通させる為こたつ布団に設けた開口部１１２を枠の四隅にあわせて設置した後、スリット部のファスナーを（閉じた状態）１１４の状態とした時の状況図である。
【産業上の利用可能性】
【００３２】
本発明の電気こたつの脚部がこたつ布団の外に設置された電気こたつによれば、電気こたつに足を入れたとき、こたつの脚が邪魔になることなく座り心地の低下を抑制することが可能となる。
【００３３】
こたつ内の空間を大きくすることなく、暖め効果の低減を防止することも可能となる。
【符号の説明】
【００３４】
１０１  枠
１０２  水平脚部
１０３  垂直脚部
１０４  こたつ布団
１０５  スリット
１０６  面ファスナー
１０７  天板
１０８  ヒータ
１０９  脚継手部
１１０  ボルト
１１１  ナット
１１２  脚部を貫通させる為こたつ布団に設けた開口部
１１３  脚継手部受枠
１１４  ファスナー（閉じた状態）
１１５  ファスナー（開いた状態）
【図１】
2020073843.tif 000003
【図２】
2020073843.tif 000004
【図３】
2020073843.tif 000005
【図４】
2020073843.tif 000006
【図５】
2020073843.tif 000007
【図６】
2020073843.tif 000008
【図７】
2020073843.tif 000009
【図８】
2020073843.tif 000010
【図９】
2020073843.tif 000011
【図１０】
2020073843.tif 000012
【図１１】
2020073843.tif 000013
【図１２】
2020073843.tif 000014
【図１３】
2020073843.tif 000015
【図１４】
2020073843.tif 000016